(57)【要約】【課題】立て式カーテンの構造を提供する。【解決手段】固定棒と一つ以上の連動棒及び可動棒が、複数の摺動座と引張り紐セットによってレール上に組立てられることにより構成され、固定棒と連動棒及び可動棒の下方に、吊り下げカーテンシートが結合され、固定棒の外側に定位磁石セットが結合され、固定棒と連動棒及び可動棒が、同じ型態であり、当該上方に、それぞれ、摺動座と引張り紐セットが固定結合されるための固定結合部があり、当該固定結合部は、内側に、受動ブロックを結合するための内結合槽があり、外側に、主動ブロックと磁化金属シートを結合するための外結合槽が設けられ、引張り紐セットが、可動棒の固定結合部の最外側に結合され、摺動座の上端に摺動ブロックが設けられ、横方向に異なる長さのカンチレバーが設置され、また、下端に固定結合部が設置され、そして、組立てられた位置のカンチレバーの長さが異なる。【選択図】図１
0003127799.tif 000002
【実用新案登録請求の範囲】
【請求項１】
固定棒と一つ以上の連動棒及び可動棒は、複数の摺動座と引張り紐セットによってレール上に組立てられ、また、下方に吊り下げカーテンシートが結合され、また、固定棒の外側に定位磁石セットが結合され、
レールは、上に、開放式の摺動槽があり、
同じ形態である固定棒と連動棒及び可動棒の上方に位置して、それぞれ、摺動座や引張り紐セットが固定結合されるための固定結合部は、内側に、受動ブロックを結合するための内結合槽があり、外側に、主動ブロックと磁化金属シートを結合するための外結合槽が設けられ、また、固定棒と連動棒及び可動棒の下方に、垂直的に吊り下げカーテンシートを結合するための貫通槽が設けられ、
摺動座は、Ｌ形状であり、上端に、摺動ブロックが設けられ、横方向に異なる長さのカンチレバーが設置され、また、下端に、固定結合部が設置され、当該下端が、固定棒と連動棒の固定結合部の一側或いは両側の位置に固定設置され、そして、異なる位置の摺動座のカンチレバーの長さが異なり、
引張り紐セットは、可動棒の固定結合部の最外側に結合され、引張り紐によって制御されて移動し、また、摺動座と同じような摺動ブロックと固定結合部があり、
吊り下げカーテンシートは、幅が、固定棒と連動棒及び可動棒の幅と同じで、その上方に、一体に結合するための係合シートが設けられ、当該係合シートの厚さが、比較的に大きくて、
定位磁石セットは、一側にロック結合シートが伸ばし、外部において、横方向の側面に磁石が設けられる、
ことを特徴とする立て式カーテンの構造。
【請求項２】
固定棒と一つ以上の連動棒及び可動棒は、複数の摺動座により、２組を対称するようにレールの両側に組立てられることを特徴とする請求項１に記載の立て式カーテンの構造。
【請求項３】
固定棒と連動棒及び可動棒は、アルミ押出しにより加工されるものであることを特徴とする請求項１に記載の立て式カーテンの構造。
【請求項４】
定位磁石セットは、一側に、ロック結合シートが伸び出して、外部において、横方向の側面に収納槽が設けられ、当該収納槽内に、磁石と二つの金属シートが設けられることを特徴とする請求項１に記載の立て式カーテンの構造。
【請求項５】
吊り下げカーテンシートは、結合シートと着脱可能なカーテン布からなり、結合シートの上に係合シートがあり、下方に粘着部が設けられ、着脱可能なカーテン布の上方の一側にも、粘着部が設けられ、着脱可能なカーテン布が、粘着部と結合シートの粘着部とにより着脱できるように結合されることを特徴とする請求項１に記載の立て式カーテンの構造。
【考案の詳細な説明】
【技術分野】
【０００１】
本考案は、扉や窓に組立てられて日除けや内密性そして装飾性の効果が得られる立て式カーテンの構造に関し、特に、複数の立て式のカーテンシートで、移動する時、シート同士が互いに引張ることや押すことにより連続的に連動できるものに関する。
【背景技術】
【０００２】
既存の立て式カーテン構造は、図９のようであり、三つのカーテン棒１、２、３は、端部に滑車座４が設置され、それによりレール５の下方に結合されて移動できるようになり、また、カーテン棒１、２、３の下方に立て式カーテン布が組立てられ、カーテン棒１、２、３が移動すると、カーテン布が連動して移動する。
【０００３】
上記のような構造は、三つのカーテン棒１、２、３に、立て式カーテン布が結合されるため、利用できる窓の仕様が限られ、そのため、幅が比較的に広い窓に設置することができなく、或いは、三つのカーテン棒１、２、３の幅を大きくすることができるが、窓の開く空間が制限されることになり、それは、カーテン棒１、２、３の前、後方に、ともに、滑車座４が設置され、滑車座４を設置することにより、カーテン棒１、２、３が支持されて移動できる他に、カーテン棒１、２、３が引張られることにより連動されるためであり、しかしながら、上記の方式は、カーテン棒１、２、３の数が三つを超えると、カーテン棒２の前、後方に位置する滑車座４により、カーテン棒２を連動させることができず、そして、カーテン棒１、２、３が互いに干渉するようになり、そのため、カーテン棒１、２、３がスムーズに移動できなく、そして、設置できる数が、三つに制限される。
【考案の開示】
【考案が解決しようとする課題】
【０００４】
本考案の主な目的は、固定棒と可動棒の間に、複数の連動棒を設置することにより、制限なくて異なる長さに利用でき、より良い使用性が得られ、また、連動棒と可動棒がスムーズに連動できる立て式カーテンの構造を提供する。
【０００５】
本考案の他の目的は、連動棒の外側に、磁化金属シートが設けられ、固定棒の外側に、磁石が設けられ、カーテンをオープンする時、磁化金属シートが磁石によって吸引されて固定され、これにより、カーテンをクローズする過程において、主動ブロックが受動ブロックに接触する時だけ、確実に引張り力を発生して連動棒を変位させ、他の連動棒と固定棒は、磁化金属シートが定位磁石セットの磁石によって吸引されて固定される立て式カーテンの構造を提供する。
【課題を解決するための手段】
【０００６】
本考案は、固定棒と一つ以上の連動棒及び可動棒が、複数の摺動座と引張り紐セットによってレール上に組立てられることにより構成され、固定棒と連動棒及び可動棒の下方に、吊り下げカーテンシートが結合され、固定棒の外側に定位磁石セットが結合され、固定棒と連動棒及び可動棒が、同じ型態であり、当該上方に、それぞれ、摺動座と引張り紐セットが固定結合されるための固定結合部があり、当該固定結合部は、内側に、受動ブロックを結合するための内結合槽があり、外側に、主動ブロックと磁化金属シートを結合するための外結合槽が設けられ、引張り紐セットが、可動棒の固定結合部の最外側に結合され、摺動座の上端に摺動ブロックが設けられ、横方向に異なる長さのカンチレバーが設置され、また、下端に固定結合部が設置され、そして、組立てられた位置のカンチレバーの長さが異なる立て式カーテンの構造である。
【考案を実施するための最良の形態】
【０００７】
図１乃至４を参照しながら、固定棒２０と一つ以上の連動棒３０及び可動棒４０は、複数の摺動座５０と引張り紐セット６０によってレール１０上に組立てられ、また、一側に設置されてもいいし、両側に対称するように設置されてもよく、また、下方に吊り下げカーテンシート７０が結合され、また、固定棒２０の外側に定位磁石セット８０が結合される。
【０００８】
レール１０は、上に、開放式の摺動槽１１がある。
【０００９】
固定棒２０と連動棒３０及び可動棒４０は、同じ形態であり、主として、アルミ押出しにより加工され、当該上方に、それぞれ、摺動座５０や引張り紐セット６０が固定結合されるための固定結合部２１があり、当該固定結合部２１は、内側に、受動ブロック２３を結合するための内結合槽２２があり、外側に、主動ブロック２５と磁化金属シート２６を結合するための外結合槽２４が設けられ、また、固定棒２０と連動棒３０及び可動棒４０の下方に、垂直的に吊り下げカーテンシート７０を結合するための貫通槽２７が設けられる。
【００１０】
摺動座５０は、Ｌ形状であり、上端に、摺動ブロック５１が設けられ、横方向に異なる長さのカンチレバー５２が設置され、また、下端に、固定結合部５３が設置され、当該下端が、固定棒２０と連動棒３０の固定結合部２１の一側或いは両側の位置に固定設置され、そして、異なる位置の摺動座５０のカンチレバー５２の長さが異なる。
【００１１】
引張り紐セット６０は、可動棒４０の固定結合部２１の最外側に結合され、引張り紐によって制御されて移動し、摺動座５０と同じような摺動ブロック６１と固定結合部６２がある。
【００１２】
吊り下げカーテンシート７０は、幅が、固定棒２０と連動棒３０及び可動棒４０の幅と同じで、その上方に、一体に結合するための係合シート７１が設けられ、当該係合シート７１の厚さが、比較的に大きい。
【００１３】
定位磁石セット８０は、一側にロック結合シート８１が伸ばし、外部において、横方向の側面に収納槽８２が設けられ、当該収納槽８２内に磁石８３と二つの金属シート８４が設けられる。
【００１４】
構造を組み立てる時、図１、５、６を参照しながら、固定棒２０の固定結合部２１の内、外の両側に、ともに摺動座５０が結合され、当該固定棒２０が、レール１０の最外側に固定され、固定棒２０の内結合槽２２において、内側に受動ブロック２３が結合され、連動棒３０の固定結合部２１において、内側に、連動棒３０を支持して当該端がレール１０上で移動できるための摺動座５０が結合され、連動棒３０の内結合槽２２において、内側に、受動ブロック２３が結合され、外結合槽２４において、外側に、主動ブロック２５と磁化金属シート２６が結合され、また、磁化金属シート２６が、当該端縁に係合し、当該連動棒３０が、重ね合うように、固定棒２０の外側に設けられ、また、外結合槽２４により、固定棒２０の受動ブロック２３が、摺動できるように、設けられ、連動棒３０に対応する主動ブロック２５も、固定棒２０の内結合槽２２に係合され、また、固定棒２０の受動ブロック２３の外側において、二つの以上の連動棒３０を利用する時、同じ方式により重ね合うよう設置し、即ち、第２の連動棒３０が、第１の連動棒３０の外側に重ね合うように設置され、また、外結合槽２４に、第１の連動棒３０の受動ブロック２３が、摺動できるように設置され、第２の連動棒３０に対応する主動ブロック２５も、第１の連動棒３０の内結合槽２２に係合し、また、第１の連動棒３０の受動ブロック２３の外側において、上記のような方式により順に組み立てられ、そして、最後に、可動棒４０が結合され、当該可動棒４０の固定結合部２１は、内側に、引張り紐セット６０が結合され、外結合槽２４において、外側に、主動ブロック２５が結合され、可動棒４０が、重ね合うように最後の連動棒３０の外側に設置され、また、外結合槽２４に、連動棒３０の受動ブロック２３が摺動できるように設置され、可動棒４０に対応する主動ブロック２５も、連動棒３０の内結合槽２２に係合され、また、連動棒３０の受動ブロック２３の外側において、前記の各部材の組立てが終了した場合、固定棒２０と可動棒４０及び各連動棒３０の摺動座５０上の摺動ブロック５１が、同一の水平直線上に位置し、各摺動座５０のカンチレバー５２の長さが、組み立てられた位置により、異なり、これにより、摺動ブロック５１が同一の水平直線上に位置することができ、また、当該摺動ブロック５１がレール１０の摺動槽１１に収納され、これにより、可動棒４０を引張る時、順に各連動棒３０を連動して変位させ、吊り下げカーテンシート７０は、係合シート７１を固定棒２０と連動棒３０及び可動棒４０の貫通槽２７を貫通することにより、吊り下げられるようになり、定位磁石セット８０は、磁石８３を金属シート８４の上下に重ね合うことにより構成され、収納槽８２に収納され、定位磁石セット８０は、更に、ロック結合シート８１によって固定棒２０の外側の端部にロック結合され、また、磁石８３が、各連動棒３０へ向かって伸ばし、同時に、磁石８３が、磁化金属シート２６に対応する。
【００１５】
カーテンをクローズする時、図５乃至７を参照しながら、組立てられた引張り紐で直接に引張り紐セット６０を引張ることにより、可動棒４０を内へ移動させるように制御し、可動棒４０上の主動ブロック２５が、連動棒３０の受動ブロック２３に接触するまで移動すると、当該連動棒３０が連動されて移動し始め、そして、当該連動棒３０が、再び主動ブロック２５で次の連動棒３０の受動ブロック２３に接触すると、次の連動棒３０も連動されて移動し始め、そして、最後の連動棒３０が、主動ブロック２５で固定棒２０の受動ブロック２３に接触する時、カーテンが、完全にクローズになり、また、移動を停止し、また、連動棒３０と可動棒４０は、外側において、それぞれ、受動ブロック２３に対応する内結合槽２２があり、そして、主動ブロック２５と固定棒２０に対応する外結合槽２４があり、前後連動棒３０と可動棒４０の外結合槽２４と内結合槽２２により結合されて支持される。
【００１６】
カーテンをクローズする過程において、主動ブロック２５が受動ブロック２３に接触して、確実に引張り力を発生した時だけ、変位し、他の連動棒３０が、磁化金属シート２６により、定位磁石セット８０の磁石８３により吸引されて定位に位置し、そのため、固定棒２０と連動棒３０及び可動棒４０が結合された後の距離が短くて、不意な引張りであれば、連動棒３０が、磁石８３と磁化金属シート２６との間の吸引力により位置付けられて完全に移動しなく、図６、７のようである。
【００１７】
カーテンをオープンする時、図１、５を参照しながら、組立てられた引張り紐を直接に引張ることにより、可動棒４０が外へ移動し、可動棒４０の内側に組立てられた引張り紐セット６０が次の連動棒３０の内側の摺動座５０に接触すると、当該連動棒３０が、連動されて外へ移動し、同じような方式で順に各連動棒３０が移動され、そして、最後の連動棒３０の摺動座５０が固定棒２０上の摺動座５０に接触すると、ストップされて移動しなくなる。
【００１８】
図８のように、吊り下げカーテンシート７００は、結合シート７０１と着脱可能なカーテン布７０２からなり、結合シート７０１に、固定棒２０と連動棒３０及び可動棒４０の貫通槽２７に結合される比較的に厚い係合シート７０３があり、結合シート７０１は、下方に、粘着部７０４が設けられ、着脱可能なカーテン布７０２は、上方の一側にも、粘着部７０５が設けられ、着脱可能なカーテン布７０２は、粘着部７０５により、結合シート７０１の粘着部７０４に粘着されて下へ垂れ、また、何時でも外して洗うことができる。
【００１９】
上記の具体的な実施例の構造により、次のような利点が得られる。
【００２０】
１、当該構造によれば、複数の連動棒３０を固定棒２０と可動棒４０との間に設置することができ、また、使用できる長さの幅が、制限なく広くなり、より良い使用性が得られ、また、連動棒３０の外側だけに摺動座５０が設置されるため、互いに干渉しなくように、複数の連動棒３０を設置でき、また、固定棒２０と連動棒３０及び可動棒４０に内結合槽２２が設置されることにより、受動ブロック２３と外結合槽２４及び主動ブロック２５が連動されるため、連動棒３０と可動棒４０とが、スムーズに、連動して調整される。
【００２１】
２、連動棒３０の外側に、磁化金属シート２６が設けられ、固定棒２０の外側に、磁石８３が設けられるため、カーテンをオープンしている時、磁化金属シート２６が、磁石８３によって吸引されて固定され、これにより、カーテンをクローズする過程において、主動ブロック２５が受動ブロック２３に接触する時だけ、確実に引張り力を発生して連動棒３０を変位させ、他の連動棒３０と固定棒２０は、磁化金属シート２６が定位磁石セット８０の磁石８３によって吸引されることにより、固定され、これにより、各固定棒２０と連動棒３０及び可動棒４０は、結合された後、距離が近すぎるため、互いに摩擦することにより、連動棒３０が、不意に引張ることにより移動することを防止でき、カーテンを引張る時、よりスムーズになる。
【図面の簡単な説明】
【００２２】
【図１】本考案のオープン状態の立体組立て図
【図２】本考案の立体分解図
【図３】本考案の局部立体分解拡大図
【図４】本考案に係わる連動棒と吊り下げカーテンシートの分解図
【図５】本考案のクローズ状態の立体組立て図
【図６】本考案のオープンされる時の連動作動図
【図７】本考案のクローズされる時の連動作動図
【図８】本考案に係わる吊り下げカーテンシートの他の実施例図
【図９】従来構造の立体図
【符号の説明】
【００２３】
従来
１、２、３    カーテン棒
４            滑車座
５            レール
本考案
１０          レール
１１          摺動槽
２０          固定棒
２１          固定結合部
２２          内結合槽
２３          受動ブロック
２４          外結合槽
２５          主動ブロック
２６          磁化金属シート
２７          貫通槽
３０          連動棒
４０          可動棒
５０          摺動座
５１          摺動ブロック
５２          カンチレバー
５３          固定結合部
６０          引張り紐セット
７０          吊り下げカーテンシート
７００        吊り下げカーテンシート
７０１        結合シート
７０２        着脱可能なカーテン布
７０３        係合シート
７０４        粘着部
７０５        粘着部
７１          係合シート
８０          定位磁石セット
８１          ロック結合シート
８２          収納槽
８３          磁石
【図１】
0003127799.tif 000003
【図２】
0003127799.tif 000004
【図３】
0003127799.tif 000005
【図４】
0003127799.tif 000006
【図５】
0003127799.tif 000007
【図６】
0003127799.tif 000008
【図７】
0003127799.tif 000009
【図８】
0003127799.tif 000010
【図９】
0003127799.tif 000011